(57)【要約】【課題】デジタルオーディオ信号の周波数に応じて周波数特性が変化するノイズフィルタを備えた情報記録再生装置を提供する。【解決手段】ノイズフィルタの可変容量素子は、直流制御電圧により、容量が変化し、ノイズフィルタの周波数特性を変化させることができる。制御電圧出力部では、オーディオデコーダから出力されたデジタルオーディオ信号の周波数に対応する直流制御電圧を出力する。したがって、オーディオデコーダから出力されるデジタルオーディオ信号の周波数が高くなると、直流制御電圧が高くなり、これにより、可変容量素子の容量が小さくなり、ノイズフィルタのカットオフ周波数が高くなる。一方、デジタルオーディオ信号の周波数が低ければ、直流制御電圧が低くなり、これにより、可変容量素子の容量が大きくなり、ノイズフィルタのカットオフ周波数が低くなる。【選択図】図１
2008123608.tif 000002
【特許請求の範囲】
【請求項１】
記録媒体に記録された情報に少なくともオーディオデータが含まれる場合、記録媒体から読み出されて所定のエンコード処理されたオーディオデータを入力してデコード処理を行うオーディオデコーダと、このオーディオデコーダから出力されたデジタルオーディオ信号をアナログオーディオ信号に変換してアナログオーディオ信号を出力するデジタル／アナログ変換回路とを含み構成された情報記録再生装置において、
前記オーディオデコーダの出力端と前記デジタル／アナログ変換回路の入力端との間に接続され、直流制御電圧により容量が変化する可変容量素子を有し、この可変容量素子の容量を変化させることによって周波数特性を変化させ、前記オーディオデコーダからのデジタルオーディオ信号に含まれるノイズ周波数成分を除去するノイズフィルタと、
前記オーディオデコーダから出力されたデジタルオーディオ信号の周波数を検出する周波数検出手段と、この周波数検出手段により検出されたデジタルオーディオ信号の周波数を電圧の大きさに変換して前記直流制御電圧を生成する直流制御電圧生成手段とを有し、前記オーディオデコーダから出力されたデジタルオーディオ信号の周波数に対応する前記直流制御電圧を出力する制御電圧出力部とを設けたことを特徴とする情報記録再生装置。
【請求項２】
記録媒体に記録された情報に少なくともオーディオデータが含まれる場合、記録媒体から読み出されて所定のエンコード処理されたオーディオデータを入力してデコード処理を行うオーディオデコーダと、このオーディオデコーダから出力されたデジタルオーディオ信号をアナログオーディオ信号に変換してアナログオーディオ信号を出力するデジタル／アナログ変換回路とを含み構成された情報記録再生装置において、
前記オーディオデコーダの出力端と前記デジタル／アナログ変換回路の入力端との間に接続され、直流制御電圧により容量が変化する可変容量素子を有し、この可変容量素子の容量を変化させることによって周波数特性を変化させ、前記オーディオデコーダからのデジタルオーディオ信号に含まれるノイズ周波数成分を除去するノイズフィルタと、
前記オーディオデコーダから出力されたデジタルオーディオ信号の周波数に対応する前記直流制御電圧を出力する制御電圧出力部とを設けたことを特徴とする情報記録再生装置。
【請求項３】
前記制御電圧出力部は、前記オーディオデコーダから出力されたデジタルオーディオ信号の周波数を検出する周波数検出手段と、この周波数検出手段により検出されたデジタルオーディオ信号の周波数を電圧の大きさに変換して前記直流制御電圧を生成する直流制御電圧生成手段とを有することを特徴とする請求項２に記載の情報記録再生装置。
【発明の詳細な説明】
【技術分野】
【０００１】
本発明は、記録媒体に対して情報の記録／再生を行う情報記録再生装置に関し、特に、デジタルオーディオ信号に含まれるノイズ周波数成分を除去するノイズフィルタを備えた情報記録再生装置に関する。
【背景技術】
【０００２】
従来から、ＤＶＤレコーダやハードディスクレコーダなどの情報記録再生装置は、光ディスクやハードディスクなどの記録媒体に記録された情報に少なくともオーディオデータが含まれる場合、記録媒体から読み出されて所定のエンコード処理されたオーディオデータを入力してデコード処理を行うオーディオデコーダと、このオーディオデコーダから出力されたデジタルオーディオ信号をノイズフィルタを介して入力してアナログオーディオ信号に変換してアナログオーディオ信号を出力するデジタル／アナログ変換回路とを含み構成されている。
【０００３】
ところで、オーディオデコーダから出力されるデジタルオーディオ信号の周波数が高いときは、オーディオデータが高密度（ビットレートが高い状態）で記録媒体に記録されている場合であり、一方、オーディオデコーダから出力されるデジタルオーディオ信号の周波数が低いときは、オーディオデータが低密度（ビットレートが低い状態）で記録媒体に記録されている場合である。したがって、オーディオデコーダから出力されるデジタルオーディオ信号の周波数が高いときは、デジタルオーディオ信号の周波数帯域が広いため、ノイズフィルタの周波数特性の周波数帯域を広げて、このときのデジタルオーディオ信号がノイズフィルタを通過させるようにしなければならない。一方、オーディオデコーダから出力されるデジタルオーディオ信号の周波数が低いときは、デジタルオーディオ信号の周波数帯域が狭いため、ノイズフィルタの周波数特性の周波数帯域を狭くて、余分なノイズ周波数成分がノイズフィルタを通過しないようにしなければならない。
【特許文献１】特開２０００−３３９８７５号公報
【発明の開示】
【発明が解決しようとする課題】
【０００４】
しかしながら、従来の情報記録再生装置においては、ノイズフィルタは、周波数特性が一定であり、カットオフ周波数を変化させることができないので、そのカットオフ周波数を適用できる予め定めた周波数のデジタルオーディオ信号であれば、適切にノイズ周波数成分を除去することができるが、前記予め定めた周波数以外の周波数のデジタルオーディオ信号に対しては、ノイズ周波数成分を適切に除去することができないという課題があった。
【０００５】
例えば、サンプリング周波数が４８ＫＨｚのデジタルオーディオ信号、またはサンプリング周波数が９６ＫＨｚのデジタルオーディオ信号とが、従来の情報記録再生装置のノイズフィルタに入力され、ノイズフィルタのカットオフ周波数が５０ＫＨｚに固定されている場合、このノイズフィルタにサンプリング周波数４８ＫＨｚのデジタルオーディオ信号が入力されると、このデジタルオーディオ信号の４８ＫＨｚ位を超えるノイズ周波数成分が除去されるが、このノイズフィルタにサンプリング周波数９６ＫＨｚのデジタルオーディオ信号が入力されると、このデジタルオーディオ信号の５０ＫＨｚ位〜９６ＫＨｚの周波数成分も除去され、サンプリング周波数９６ＫＨｚのデジタルオーディオ信号が持っている本来の高精度の音質を得ることができなくなるという課題が生じる。
【０００６】
また、逆に、ノイズフィルタのカットオフ周波数が１００ＫＨｚに固定されているとした場合、このノイズフィルタにサンプリング周波数９６ＫＨｚのデジタルオーディオ信号が入力されると、このデジタルオーディオ信号の９６ＫＨｚ位を超えるノイズ周波数成分が除去されるが、このノイズフィルタにサンプリング周波数４８ＫＨｚのデジタルオーディオ信号が入力されると、このデジタルオーディオ信号の４８ＫＨｚを超えるノイズ周波数成分が除去されず、サンプリング周波数４８ＫＨｚのデジタルオーディオ信号が持っている本来の音質が低下することになるという課題が生じる。
【０００７】
なお、特許文献１の従来技術では、例えば、デジタル記録装置のデータラインやクロックラインに対して挿入したノイズフィルタの通過帯域特性（周波数特性に相当）を変更するように構成され、その通過帯域特性の切換はスイッチ・トランジスタにより２段階で行っているので、上記のような課題を解決することができるが、例えば、周波数の異なるデジタルオーディオ信号が３個以上あった場合には、ノイズフィルタの通過帯域特性を各デジタルオーディオ信号の周波数に応じて変化させることができないという課題が生じる。
【０００８】
本発明は、上記のような課題を解決するためになされたもので、オーディオデコーダから出力されたデジタルオーディオ信号の周波数に応じて周波数特性が変化するノイズフィルタを備えた情報記録再生装置を提供することを目的とする。
【課題を解決するための手段】
【０００９】
上記目的を達成するために、請求項１の発明は、記録媒体に記録された情報に少なくともオーディオデータが含まれる場合、記録媒体から読み出されて所定のエンコード処理されたオーディオデータを入力してデコード処理を行うオーディオデコーダと、このオーディオデコーダから出力されたデジタルオーディオ信号をアナログオーディオ信号に変換してアナログオーディオ信号を出力するデジタル／アナログ変換回路とを含み構成された情報記録再生装置において、前記オーディオデコーダの出力端と前記デジタル／アナログ変換回路の入力端との間に接続され、直流制御電圧により容量が変化する可変容量素子を有し、この可変容量素子の容量を変化させることによって周波数特性を変化させ、前記オーディオデコーダからのデジタルオーディオ信号に含まれるノイズ周波数成分を除去するノイズフィルタと、前記オーディオデコーダから出力されたデジタルオーディオ信号の周波数を検出する周波数検出手段と、この周波数検出手段により検出されたデジタルオーディオ信号の周波数を電圧の大きさに変換して前記直流制御電圧を生成する直流制御電圧生成手段とを有し、前記オーディオデコーダから出力されたデジタルオーディオ信号の周波数に対応する前記直流制御電圧を出力する制御電圧出力部とを設けたことを特徴とする情報記録再生装置を提供する。
【００１０】
この構成において、ノイズフィルタの可変容量素子は、直流制御電圧により、容量が変化し、ノイズフィルタの周波数特性を変化させることができる。制御電圧出力部では、オーディオデコーダから出力されたデジタルオーディオ信号の周波数を周波数検出手段により検出し、周波数検出手段により検出されたデジタルオーディオ信号の周波数を直流制御電圧生成手段により電圧の大きさに変換して直流制御電圧を生成する。
【００１１】
したがって、オーディオデコーダから出力されるデジタルオーディオ信号の周波数が高くなると、直流制御電圧が高くなり、これにより、可変容量素子の容量が小さくなり、ノイズフィルタのカットオフ周波数が高くなる。一方、デジタルオーディオ信号の周波数が低ければ、直流制御電圧が低くなり、これにより、可変容量素子の容量が大きくなり、ノイズフィルタのカットオフ周波数が低くなる。
【００１２】
このようなノイズフィルタの動作を利用することにより、周波数の高いデジタルオーディオ信号は、ノイズフィルタで余分なノイズ周波数成分が除去され、デジタル／アナログ変換回路で広い周波数帯域で精度の高いアナログのオーディオ信号を得て、高音質の音声を発生させることができる。一方、周波数の低いデジタルオーディオ信号は、ノイズフィルタで余分なノイズ周波数成分が除去され、デジタル／アナログ変換回路で、このときのデジタルオーディオ信号の周波数帯域に対応したアナログのオーディオ信号を得て、適切な音質の音声を発生させることができる。
【００１３】
この構成によれば、オーディオデコーダから出力されたデジタルオーディオ信号の周波数に応じて周波数特性が変化するノイズフィルタを備えたので、周波数の異なるデジタルオーディオ信号が２個以上あった場合でも、ノイズフィルタの周波数特性を各デジタルオーディオ信号の周波数に応じて変化させることができ、これにより、デジタルオーディオに採用されている何れの周波数のデジタルオーディオ信号でも効果的にノイズ周波数成分を除去することができ、この結果、当該デジタルオーディオ信号から得られる音声が高精度の音質で出力でき、音声の性能が向上される。
【００１４】
請求項２の発明は、記録媒体に記録された情報に少なくともオーディオデータが含まれる場合、記録媒体から読み出されて所定のエンコード処理されたオーディオデータを入力してデコード処理を行うオーディオデコーダと、このオーディオデコーダから出力されたデジタルオーディオ信号をアナログオーディオ信号に変換してアナログオーディオ信号を出力するデジタル／アナログ変換回路とを含み構成された情報記録再生装置において、前記オーディオデコーダの出力端と前記デジタル／アナログ変換回路の入力端との間に接続され、直流制御電圧により容量が変化する可変容量素子を有し、この可変容量素子の容量を変化させることによって周波数特性を変化させ、前記オーディオデコーダからのデジタルオーディオ信号に含まれるノイズ周波数成分を除去するノイズフィルタと、前記オーディオデコーダから出力されたデジタルオーディオ信号の周波数に対応する前記直流制御電圧を出力する制御電圧出力部とを設けたことを特徴とする情報記録再生装置を提供する。
【００１５】
この構成において、ノイズフィルタの可変容量素子は、直流制御電圧により、容量が変化し、ノイズフィルタの周波数特性を変化させることができる。制御電圧出力部では、オーディオデコーダから出力されたデジタルオーディオ信号の周波数に対応する直流制御電圧を出力する。
【００１６】
したがって、オーディオデコーダから出力されるデジタルオーディオ信号の周波数が高くなると、直流制御電圧が高くなり、これにより、可変容量素子の容量が小さくなり、ノイズフィルタのカットオフ周波数が高くなる。一方、デジタルオーディオ信号の周波数が低ければ、直流制御電圧が低くなり、これにより、可変容量素子の容量が大きくなり、ノイズフィルタのカットオフ周波数が低くなる。
【００１７】
このようなノイズフィルタの動作を利用することにより、周波数の高いデジタルオーディオ信号は、ノイズフィルタで余分なノイズ周波数成分が除去され、デジタル／アナログ変換回路で広い周波数帯域で精度の高いアナログのオーディオ信号を得て、高音質の音声を発生させることができる。一方、周波数の低いデジタルオーディオ信号は、ノイズフィルタで余分なノイズ周波数成分が除去され、デジタル／アナログ変換回路で、このときのデジタルオーディオ信号の周波数帯域に対応したアナログのオーディオ信号を得て、適切な音質の音声を発生させることができる。
【００１８】
この構成によれば、オーディオデコーダから出力されたデジタルオーディオ信号の周波数に応じて周波数特性が変化するノイズフィルタを備えたので、周波数の異なるデジタルオーディオ信号が２個以上あった場合でも、ノイズフィルタの周波数特性を各デジタルオーディオ信号の周波数に応じて変化させることができ、これにより、デジタルオーディオに採用されている何れの周波数のデジタルオーディオ信号でも効果的にノイズ周波数成分を除去することができ、この結果、当該デジタルオーディオ信号から得られる音声が高精度の音質で出力でき、音声の性能が向上される。
【００１９】
請求項３の発明では、請求項２の発明において、前記制御電圧出力部は、前記オーディオデコーダから出力されたデジタルオーディオ信号の周波数を検出する周波数検出手段と、この周波数検出手段により検出されたデジタルオーディオ信号の周波数を電圧の大きさに変換して前記直流制御電圧を生成する直流制御電圧生成手段とを有することを特徴とする。
【００２０】
したがって、前記制御電圧出力部は、周波数検出処理および直流制御電圧処理を実現でき、これにより、デジタルオーディオ信号の周波数に対応する直流制御電圧を出力することが可能になる。
【発明の効果】
【００２１】
以上のように本発明によれば、オーディオデコーダから出力されたデジタルオーディオ信号の周波数に応じて周波数特性が変化するノイズフィルタを備えたので、周波数の異なるデジタルオーディオ信号が２個以上あった場合でも、ノイズフィルタの周波数特性を各デジタルオーディオ信号の周波数に応じて変化させることができ、これにより、デジタルオーディオに採用されている何れの周波数のデジタルオーディオ信号でも効果的にノイズ周波数成分を除去することができ、この結果、当該デジタルオーディオ信号から得られる音声が高精度の音質で出力でき、音声の性能が向上される。
【発明を実施するための最良の形態】
【００２２】
以下、添付図面を参照しつつ、本発明の実施の形態について説明する。図１は本発明の一実施形態に係る情報記録再生装置としての光ディスク装置におけるオーディオ信号の処理に関係する部分の構成を示すブロック図である。ここでの説明では、記録媒体が光ディスク（ＤＶＤやＣＤ）であり、光ディスク装置にノイズフィルタを備えたものを示すが、記録媒体がハードディスクであり、ハードディスク装置に、このノイズフィルタを備えても同様な効果が得られる。
【００２３】
図１において、この光ディスク装置は、光ディスク１の情報の再生時に光ピックアップ２からの読取信号であるＲＦ信号を増幅するＲＦアンプ３と、このＲＦアンプ３から出力されたＲＦ信号をデジタルデータに変換した後に光ディスク１のデータフォーマットに応じた信号復調処理と誤り訂正処理を行うデジタル信号処理部４と、このデジタル信号処理部４から出力されたデータストリームの中からオーディオデータとサブピクチャデータとビデオデータとを分離するストリーム分離部５と、このストリーム分離部５から出力されたオーディオデータを入力して所定のデコード処理を行うオーディオデコーダ６とを備えている。
【００２４】
また、この光ディスク装置は、オーディオデコーダ６の出力端とＤ／Ａ（デジタル／アナログ）変換回路９の入力端との間に接続され、直流制御電圧により容量が変化する可変容量素子Ｃを有し、この可変容量素子Ｃの容量を変化させることによって周波数特性を変化させ、オーディオデコーダ６からのデジタルオーディオ信号に含まれるノイズ周波数成分を除去するノイズフィルタ７を備えている。このノイズフィルタ７は、コンデンサＣ１とコンデンサＣ２とコンデンサＣ３とコンデンサＣ４とから構成される可変容量素子Ｃと、コンデンサ７１と、抵抗７２とを有している。
【００２５】
コンデンサ７１の一端はオーディオデコーダ６の出力ラインＬに接続され、その他端は接地されている。抵抗７２の一端は出力ラインＬに接続され、その他端はＤ／Ａ変換回路９の入力端に接続されている。コンデンサＣ１の一端とコンデンサＣ２の一端とは、出力ラインＬに接続されている。コンデンサＣ３の一端とコンデンサＣ４の一端とは、接地されている。コンデンサＣ１の他端とコンデンサＣ３の他端とは、接続され、また、直流制御電圧生成回路８２の出力ラインＬ１に接続されている。コンデンサＣ２の他端とコンデンサＣ４の他端とは、接続され、また、直流制御電圧生成回路８２の出力ラインＬ２に接続されている。
【００２６】
また、この光ディスク装置は、オーディオデコーダ６から出力されたデジタルオーディオ信号の周波数を検出する周波数検出回路８１と、この周波数検出回路８１により検出されたデジタルオーディオ信号の周波数を電圧の大きさに変換して前記直流制御電圧を生成する直流制御電圧生成回路８２とを有し、オーディオデコーダ６から出力されたデジタルオーディオ信号の周波数に対応する前記直流制御電圧を出力する制御電圧出力部８とを備えている。
【００２７】
また、この光ディスク装置は、ノイズフィルタ７を通過したデジタルオーディオ信号をアナログのオーディオ信号に変換するＤ／Ａ変換回路９と、このＤ／Ａ変換回路９から出力されたアナログのオーディオ信号の音声周波数帯域以外のノイズ周波数成分を除去するＬＰＦ（ロウパスフィルタ）１０と、このＬＰＦ１０を通過したアナログのオーディオ信号を増幅して出力する音声出力回路１１とを備えている。
【００２８】
図２は本実施形態において可変容量素子が変化した場合のノイズフィルタの周波数特性を説明するための図である。図２において、ラインａからラインｂ１までのラインは、カットオフ周波数が低い場合のノイズフィルタの周波数特性のラインを示す。ラインａからラインｂ２までのラインは、カットオフ周波数が高い場合のノイズフィルタ７の周波数特性のラインを示す。したがって、ラインｂ１とラインｂ２間の周波数帯域は、ノイズフィルタ７の可変容量素子Ｃの容量が変化させることにより可変となる可変周波数帯域を示す。また、ラインｂ１で示すまでの周波数帯域が必要な周波数帯域であると、ラインｂ１とラインｂ２間の斜線で示す領域Ｂは不要な周波数成分が存在する周波数帯域になる。また、幅Ａは、レベルｅ以上を得て、オーディオ信号として最低必要な周波数帯域を示し、アナログのオーディオ信号であれば、周波数ｆ０に相当する周波数は２０ＫＨｚであるが、この例の場合は、デジタルのオーディオ信号がノイズフィルタ７に入力されるので、周波数ｆ０は、アナログのオーディオ信号の周波数２０ＫＨｚに対応するデジタルのオーディオ信号の周波数になる。
【００２９】
図３は前記可変容量素子Ｃの特性の一例を示す図である。図３において、ラインＦは、容量制御電圧（制御電圧出力部８からの直流制御電圧）に対する可変容量素子Ｃの静電容量の関係を示す特性曲線である。ラインＦで示す特性曲線によれば、容量制御電圧（制御電圧出力部８からの直流制御電圧）が０Ｖのとき、可変容量素子Ｃの静電容量を容量可変制御端子ｇ、ｈから見たときに相当する静電容量は、Ｃｍａｘ＝[Ｃ１・Ｃ２／（Ｃ１＋Ｃ２）]＋[Ｃ３・Ｃ４／（Ｃ３＋Ｃ４）]になる。但し、この式でのＣ１，Ｃ２，Ｃ３，Ｃ４は、コンデンサＣ１，Ｃ２，Ｃ３，Ｃ４の静電容量を示すものとする。
【００３０】
図３に示すように、容量制御電圧（制御電圧出力部８からの直流制御電圧）を、電圧０Ｖを境にプラス側またはマイナス側にずらすと、ラインＦで示すように、可変容量素子Ｃの静電容量が小さくなって行く。このような特性を利用して可変容量素子Ｃの静電容量を変化させると、ノイズフィルタ７の周波数特性を変化させることができる。
【００３１】
可変容量素子Ｃの静電容量は、図３でも説明したように、容量制御電圧（制御電圧出力部８からの直流制御電圧）が０〔Ｖ〕のときが最大であるＣｍａｘ＝[Ｃ１・Ｃ２／（Ｃ１＋Ｃ２）]＋[Ｃ３・Ｃ４／（Ｃ３＋Ｃ４）]であるので、静電容量を基準容量に対して大きくしたり小さくしたりするには、図３に示すようにｎ〔Ｖ〕を基準の容量制御電圧（制御電圧出力部８からの直流制御電圧）に設定し、目的とする制御に必要な静電容量の最大変化幅が得られるように、容量制御電圧（制御電圧出力部８からの直流制御電圧）の最大値と最小値を設定する。例えば、図３に示すように、ラインＦの近似的直線区間を用い、この場合の静電容量が最大値ｍ１〔μＦ〕になるときの容量制御電圧（制御電圧出力部８からの直流制御電圧）をｎ１〔Ｖ〕とし、静電容量が最小値ｍ２〔μＦ〕になるときの容量制御電圧（制御電圧出力部８からの直流制御電圧）をｎ２〔Ｖ〕として設定する。
【００３２】
なお、ラインＦの近似的直線区間を用いることにより、容量制御電圧（制御電圧出力部８からの直流制御電圧）により静電容量を変化させる制御が容易になる。即ち、可変容量素子Ｃの容量可変制御端子ｇ，ｈに印加される容量制御電圧（制御電圧出力部８からの直流制御電圧）と、可変容量素子Ｃの静電容量との関係を示す特性ラインの近似的直線区間内に容量制御電圧（制御電圧出力部８からの直流制御電圧）の動作点を持っていき、可変容量素子Ｃに対する静電容量を変化させる線形制御を行わせることにより、容量制御電圧（制御電圧出力部８からの直流制御電圧）により静電容量を変化させる制御が容易になる。
【００３３】
次に、図１〜図３を参照して本実施形態における光ディスク装置のオーディオ信号の処理に関する動作について説明する。
【００３４】
図１において、この光ディスク装置に光ディスク１が挿入され、再生動作が開始すると、光ディスク１に記録されている映像音声情報が光ピックアップ２により読み出され、この読取信号であるＲＦ信号がＲＦアンプ３で増幅される。このＲＦアンプ３から出力されたＲＦ信号は、デジタル信号処理部４でデジタルデータに変換され、更に光ディスク１のデータフォーマットに応じた信号復調処理と誤り訂正処理がされる。デジタル信号処理部４から出力されたデータストリームの中からオーディオデータとサブピクチャデータとビデオデータとが、ストリーム分離部５により分離される。ストリーム分離部５から出力されたオーディオデータは、オーディオデコーダ６で所定のデコード処理が施される。
【００３５】
そして、オーディオデコーダ６から出力されたデジタルオーディオ信号は、ノイズフィルタ７に入力され、不要なノイズ周波数成分が除去される。この不要なノイズ周波数成分が除去されたデジタルオーディオ信号は、Ｄ／Ａ変換回路９に入力され、アナログのオーディオ信号に変換される。更に、このアナログのオーディオ信号は、ＬＰＦ１０で音声周波数帯域以外のノイズ周波数成分が除去され、ＬＰＦ１０を通過したアナログのオーディオ信号は、音声出力回路１１に入力されて増幅される。音声出力回路１１から出力されたオーディオ信号は、図示しないテレビジョン受像機の音声回路を介してスピーカに供給されて音声化されたり、あるいは図示しないオーディオ装置の音声回路を介してスピーカに供給されて音声化されたりする。
【００３６】
ところで、前述したように可変容量素子Ｃは、容量可変制御端子ｇ，ｈに印加される容量制御電圧（制御電圧出力部８からの直流制御電圧）により、容量が変化し、ノイズフィルタ７の周波数特性を変化させることができる。制御電圧出力部８では、オーディオデコーダ６から出力されたデジタルオーディオ信号の周波数を周波数検出回路８１により検出し、周波数検出回路１８により検出されたデジタルオーディオ信号の周波数を直流制御電圧生成回路８２により電圧の大きさに変換して容量制御電圧（直流制御電圧）を生成する。即ち、制御電圧出力部８は、オーディオデコーダ６から出力されたデジタルオーディオ信号の周波数に対応する容量制御電圧（直流制御電圧）を出力し、容量制御電圧（直流制御電圧）を可変容量素子Ｃの容量可変制御端子ｇ，ｈに印加する。
【００３７】
オーディオデコーダ６から出力されるデジタルオーディオ信号の周波数が高いときは、オーディオデータが高密度（ビットレートが高い状態）で光ディスク１に記録されている場合であり、一方、オーディオデコーダ６から出力されるデジタルオーディオ信号の周波数が低いときは、オーディオデータが低密度（ビットレートが低い状態）で光ディスク１に記録されている場合である。したがって、オーディオデコーダ６から出力されるデジタルオーディオ信号の周波数が高いときは、デジタルオーディオ信号の周波数帯域が広いため、ノイズフィルタ７の周波数特性の周波数帯域を広げて、このときのデジタルオーディオ信号がノイズフィルタ７を通過させるようにしなければならない。
【００３８】
このため、制御電圧出力部８では、オーディオデコーダ６から出力されたデジタルオーディオ信号の周波数を周波数検出回路８１により検出し、周波数検出回路１８により検出されたデジタルオーディオ信号の周波数を直流制御電圧生成回路８２により電圧の大きさに変換して容量制御電圧（直流制御電圧）を生成するが、デジタルオーディオ信号の周波数が高ければ、容量制御電圧（直流制御電圧）が高くなり、これにより、可変容量素子Ｃの容量が小さくなり、ノイズフィルタ７のカットオフ周波数が高くなる。この結果、このときのデジタルオーディオ信号は、ノイズフィルタ７で余分なノイズ周波数成分が除去され、ノイズフィルタ７を通過し、次にＤ／Ａ変換回路９で広い周波数帯域で精度の高いアナログのオーディオ信号を得て、高音質の音声を発生させることができる。
【００３９】
一方、デジタルオーディオ信号の周波数が低ければ、容量制御電圧（直流制御電圧）が低くなり、これにより、可変容量素子Ｃの容量が大きくなり、ノイズフィルタ７のカットオフ周波数が低くなる。この結果、このときのデジタルオーディオ信号は、ノイズフィルタ７で余分なノイズ周波数成分が除去され、ノイズフィルタ７を通過し、次にＤ／Ａ変換回路９で、このときのデジタルオーディオ信号の周波数帯域に対応したアナログのオーディオ信号を得て、適切な音質の音声を発生させることができる。
【００４０】
以上説明したように本実施形態によれば、オーディオデコーダ６から出力されたデジタルオーディオ信号の周波数に応じて周波数特性が変化するノイズフィルタ７を備えたので、周波数の異なるデジタルオーディオ信号が２個以上あった場合でも、ノイズフィルタ７の周波数特性を各デジタルオーディオ信号の周波数に応じて変化させることができ、これにより、デジタルオーディオに採用されている何れの周波数のデジタルオーディオ信号でも効果的にノイズ周波数成分を除去することができ、この結果、当該デジタルオーディオ信号から得られる音声が高精度の音質で出力でき、音声の性能が向上される。
【産業上の利用可能性】
【００４１】
本発明は、ＣＤ、ＤＶＤ、ハードディスクなどの記録媒体に対して記録／再生を行うことができる情報記録再生装置に利用可能であり、オーディオデコーダから出力されたデジタルオーディオ信号の周波数に応じて周波数特性が変化するノイズフィルタを備えることにより、デジタルオーディオに採用されている何れの周波数のデジタルオーディオ信号でも効果的にノイズ周波数成分を除去することができ、音声の性能の向上を図れる。
【図面の簡単な説明】
【００４２】
【図１】本発明の一実施形態に係る情報記録再生装置としての光ディスク装置におけるオーディオ信号の処理に関係する部分の構成を示すブロック図である。
【図２】前記実施形態において可変容量素子が変化した場合のノイズフィルタの周波数特性を説明するための図である。
【図３】前記可変容量素子の特性の一例を示す図である。
【符号の説明】
【００４３】
１    光ディスク（記録媒体）
６    オーディオデコーダ
７    ノイズフィルタ
８    制御電圧出力部
９    Ｄ／Ａ変換回路
８１    周波数検出回路（周波数検出手段）
８２    直流制御電圧生成回路（直流制御電圧生成手段）
Ｃ    可変容量素子
【図１】
2008123608.tif 000003
【図２】
2008123608.tif 000004
【図３】
2008123608.tif 000005